(57)【要約】【課題】机にうつ伏して寝る際の補助器具頭を支えるほか、本立てとして使用できる休息用具。【解決手段】相互に枢設した上枠２１と下２２の二つの枠を設け、該枠の何れかに更に支え部２４を枢設し、別に他方の枠には調整部２３を設け、該支え部２４には更に第二支え部２５を枢設し、該調整部２３には上枠と下枠との間にそれぞれ頭の支持及び本立てとして支持するに適した角度を構成するべく該支え部２４及び該第二支え部２５を嵌合する複数の嵌合溝２３１を設ける。【選択図】    図２
0003105206.tif 000002
【実用新案登録請求の範囲】
【請求項１】
相互に枢設された上枠と下枠、並びに該上枠か下枠のいずれかの枠に枢設された支え部、及び該支え部が枢設されていないもう一方の枠に設置された調整部、更に該支え部に枢設される第二支え部を具有する休息用具において、
該調整部には該支え部並びに該第二支え部を嵌合するべく複数の嵌合溝を具有することを特徴とするツーウェイタイプの休息用具。
【請求項２】
相互に枢設された上枠と下枠、並びに該上枠か下枠のいずれかの枠に枢設された支え部、及び該支え部が枢設されていないもう一方の枠に設置された調整部を具有する休息用具において、
該上枠と下枠と支え部はパイプ材により略コの字型に形成された枠であり、該調整部においては該支え部を嵌合するべく複数の嵌合溝を具有することを特徴とするツーウェイタイプの休息用具。
【請求項３】
該上枠の両端には下向きに湾曲した湾曲部が形成されていることを特徴とする請求項１或いは２記載のツーウェイタイプの休息用具。
【請求項４】
該上枠の上半部には枕が被せられることを特徴とする請求項１或いは２記載のツーウェイタイプの休息用具。
【請求項５】
該調整部の複数の嵌合溝間には一端が固定されていない紐が跨設されていることを特徴とする請求項１或いは２記載のツーウェイタイプの休息用具。
【請求項６】
該調整部の複数の嵌合溝両側はやや低い平面を呈していることにより、該支え部を収納する個所を提供し、折りたたむと該上枠と下枠と支え部とが平面状になることを特徴とする請求項２記載のツーウェイタイプの休息用具。
【請求項７】
該上枠と下枠と支え部のパイプ断面の形状は略Dの字型を呈していることを特徴とする請求項２記載のツーウェイタイプの休息用具。
【考案の詳細な説明】
【技術分野】
【０００１】
本考案は、休息用具に係り、特に人が机にうつ伏せて寝る際に頭部を補助することで手や頚部及び肩が痛くなるのを防止する機能を提供する以外に、手で本を持たなくとも本が読める本立てとしての機能を提供する、ツーウェイタイプの休息用具に関わる。
【特許文献１】台湾実用新案  第８９２１７６３５号
【背景技術】
【０００２】
図１に示すように、公知技術における休息補助装置があるが、これは主に会社勤めの人や学生が机にうつ伏せに寝て休息を取る際の枕的機能を提供する休息補助装置である。該装置により、机に突っ伏して寝ることで腕や頚椎や肩等の血液循環を妨げて痺れたり凝ったりする問題を解決している。
【考案の開示】
【考案が解決しようとする課題】
【０００３】
しかし上述の公知技術における休息補助装置は、休息用として使用しない場合の他の用途に使用できず、仮に本立てとして使用したとしても安定感に欠けるため直接本を置くのには適していない。
そこで上述の欠点に鑑み実用性を更に高めるべく、机にうつ伏して寝る際の補助器具として使用する目的以外にも、本立てとして使用できるようにするべく本考案のツーウェイタイプの休息用具を提供する。
【課題を解決するための手段】
【０００４】
相互に枢設される上枠と下枠の二つの枠を設け、且つ該上枠上には支え部を枢設し、該下枠にはこれに対応した調整部を設け、該上枠或いは下枠の両端には下向きに湾曲する湾曲部を設け、該湾曲部により机の縁をキャッチする個所を提供し、該支え部の一辺を該調整部の嵌合溝中に嵌合させ、該上枠と下枠との間に夾角を提供し、該支え部の内側もしくは外側には更に略コの字型を呈した大に支え部を設け、該第二支え部の一辺を該調整部の嵌合溝中に嵌合する個所として提供し、こうすることにより該上枠と下枠間に夾角を提供し、更に該上枠に枕を被せることで机にうつ伏せ寝する人の頭を補助し、また該上枠と下枠を倒置して該枕を外し、該支え部と該支え部が枢設されている枠とを平行にし、該第二支え部を該調整部の嵌合溝中に嵌合することで本立てとしての機能を提供するが、或いは該支え部を設けずに直接該第二支え部を該枠上に設けることで構造を更に簡単化してもよく、上述同様の機能を提供する。
【考案の効果】
【０００５】
本考案によると、簡単な構造及び使用法で、本立て用としても机にうつ伏せて寝る際の補助具としても非常に実用的な二つの機能を提供する目的が達成できた。
【考案を実施するための最良の形態】
【０００６】
図２，３に示すように、本考案の休息用具２０における第一実施例では、上枠２１及び下枠２２と調整部２３、並びに支え部２４と第二支え部２５とより構成される。該上下枠２１，２２及び第二支え部２５は断面が略Dの字型を呈したパイプ材により略コの字型の枠を形成しているのであり、該支え部２４においては一辺の中間が欠けた状態で略長方形を呈しており、該中間の欠けた個所には軟質の保護カバー２４１が設けられる。該支え部２４は該上枠２１或いは下枠２２に枢設され、該調整部２３はこれに対応して該下枠２２或いは上枠２１上に設置され、該支え部２４においては該調整部２３上の数本の嵌合溝２３１中の一つに嵌設され、該上枠２１或いは下枠２２を卓上に水平に設置するときに、該上枠２１と下枠２２間に夾角を形成する。該調整部２３の片側には紐２６が固定されており、該紐２６のもう一端は該調整部２３のもう片側の異形孔２３２の縮小部２３２１中に固定され、つまり該紐２６は複数の嵌合溝２３１上方を跨いだ形になっている。また該複数の嵌合溝２３１の両側はやや低い平面となっている。該紐２６の末端はやや幅が広まっており、該異形孔２３２の拡大部２３２２より該縮小部２３２１にまで穿入及び移動した際、該縮小部２３２１によって挟設固定されるようになっている。該第二支え部２５は該支え部２４の内側或いは外側に枢設されており、該支え部２４の内側に枢設されたときは該支え部２４中に収納されるが、該支え部２４の外側に枢設される場合は該支え部２４よりも大きいものとすることで、該上枠２１との間、或いは該下枠２２との間に収納に収納される。その他該上枠２１の両端は下方に折れた湾曲部２１１が形成されている。
【０００７】
図３、４に示すように、本実施例考案を使用して休憩しようとするときは、該上枠２１上に枕２７を被せる。該上枠２１の上半部が被覆されるが、両端の二つの湾曲部２１１は卓上面を押圧する個所となる。このとき該第二支え部２５は該上枠２１に対して平行にして該枕２７の設置を妨げない。該支え部２４は使用者の背丈等に合わせて複数の該嵌合溝２３１より適当な個所に位置するものを選んで嵌合し、上枠２１を支持することにより、該上枠２１に適当な傾斜角度を与える。こうすることで使用者が机にうつ伏せて寝る際、頭部が心地よく該枕２７に凭れることができるようになり、一般に卓上でうつ伏せて寝るときのように両手が卓上にて頭に圧迫されることがない。また該上枠２１両側の湾曲部２１１が机の縁３０をしっかりとキャッチし、該紐２６が該嵌合溝２３１上方を跨いだ状態で設置されていることから、該支え部２４は該嵌合溝２３１から不意に外れてしまうことがなく、安全性を高めている。また、該枕２７は取り外し可能である。
更に、図５に示すように該上枠２１と支え部２４とを裏返して卓上に一旦水平に置き、次に該第二支え部２５を該調整部２３の嵌合溝２３１中に嵌合すると該下枠２２と上枠２１間において一定の傾斜角度が提供され、該下枠２２は本２８を設置する個所が提供でき、該上枠２１の湾曲部２１１が上向きに湾曲した状態となることから、該本２８の底部が滑らないよう定位できるようになる。同様にして該第二支え部２５は紐２６で該嵌合溝２３１から外れない機能を提供する。
【０００８】
図７，８に示すように、本考案の第二実施例において、該休憩用具２０は上述の第一実施例と基本構造が同様であるが、しかし上述における該支え部２４を設けておらず、替わりに該上枠２１と下枠２２の内の一方の枠に直接略コの字型を呈した支え部２９を一体成形で設けており、一方の枠に調整部２３を固定し、該調整部２３上には数個の陥没した状態の嵌合溝２３１を設け、該嵌合溝２３１の両側はやや低い平面を呈しているものとする。該嵌合溝２３１に該支え部２９を嵌入することで該上下枠２１，２２に所要の夾角を形成し、該上枠２１の一端には下向きの湾曲部２１１を設けていることより、上半部は上述同様に枕２７を被せることができる。
【０００９】
図９から図１１に示すように、他の実施例でも上述の第一実施例同様にして、休息用具２０は卓上に置いて本２８を立てて読書をしたり机にうつ伏せて寝たりする際の補助具としての機能を具有するが、何れも該上下枠２１，２２を卓上に水平に置いた後、該支え部２９を該調整部２３の嵌合溝２３１中に嵌合するのみで使用できる。
【図面の簡単な説明】
【００１０】
【図１】台湾実用新案第８９２１７６３５号「休息補助装置」を仮に本立てとして使用した際における側面図である。
【図２】本考案の第一実施例における立体分解図である。
【図３】本考案の第一実施例を使用者が机にうつ伏せに寝るための補助具とした場合における立体外観図である。
【図４】図３における使用動作を示す図である。
【図５】本考案の第一実施例を本立てとして使用する際における立体外観図である。
【図６】図５における使用動作を示す図である。
【図７】本考案の第二実施例における立体分解図である。
【図８】本考案の第二実施例を使用者が机のうつ伏せに寝るための補助具とした場合における立体外観図である。
【図９】図８における使用動作を示す図である。
【図１０】本考案の第二十指令を本立てとして使用する際における立体外観図である。
【図１１】図１０における使用動作を示す図である。
【符号の説明】
【００１１】
２０  休息用具
２１  上枠
２１１  湾曲部
２２  下枠
２３  調整部
２３１  嵌合溝
２３２  異形孔
２３２１  縮小部
２３２２  拡大部
２３３  穿孔
２４  支え部
２４１  保護カバー
２５  第二支え部
２６  紐
２７  枕
２８  本
２９  支え部
３０  机の縁
【図１】
0003105206.tif 000003
【図２】
0003105206.tif 000004
【図３】
0003105206.tif 000005
【図４】
0003105206.tif 000006
【図５】
0003105206.tif 000007
【図６】
0003105206.tif 000008
【図７】
0003105206.tif 000009
【図８】
0003105206.tif 000010
【図９】
0003105206.tif 000011
【図１０】
0003105206.tif 000012
【図１１】
0003105206.tif 000013